(57)【要約】【課題】高齢化、核家族構成の進展によってその結果、不急不要品が大量に放出されて粗大ゴミとなって地球環境に悪影響を与えるに至った。【解決手段】家庭、法人にて不要となった物品を適時、提供するお知らせ板を設ける。一方でこれらの不急不要品を入手する手段としてのお知らせ、告知板を設けること。物品の提供者、受領希望者を仲介するエージェント機能を備えて、提供と受領を容易に、簡単に行える手段を提供すること。資源の再利用を促進して環境にやさしい循環型社会構造の構築を達成できる。【選択図】図１
2008015994.tif 000002
【特許請求の範囲】
【請求項１】
不急不要となった物品を提供する手段として、記憶装置３３に提供したい物品を入力して情報通信網上に設けた掲示板４４から報知、公表する手段、
物品の受領希望者は希望品目を記憶装置３４に入力して、提供物品と照合して一致していれば希望者に提供するのと、エージェント１１は物品の適格条件を満たしているか判断する手段をもち、かつ物品提供者１３の機密保持を維持して受領希望者１７の適正を判断して物品の配布を行うことを特徴とする不急不要物品再活性化の制御方法。
【請求項２】
前記請求項１に記載の物品掲示板４４は、ウェブサイトの他、広告宣伝チラシ、公共掲示装置による事を特徴とする不急不要物品再活性化の制御方法。
【請求項３】
不急不要物品提供者１３は、無償提供を原則として、特定慈善団体に寄付行為を前提にして課金できる事を特徴とする不急不要物品再活性化の制御方法。
【請求項４】
記憶装置３３に登録されている提供物品及び記憶装置３４に登録されている入手希望の物品リストは、一定期間の猶予をおいて取り式が成立しないときに該掲示板４４から削除するのと、提供者の了解を得て物品を自治体等回収業者が引き取ることを特徴とする不急不要物品再活性化の制御方法。
【発明の詳細な説明】
【技術分野】
【０００１】  本発明は、法人、家庭に眠っている不急不要品の再利用の方法であって、物品の提供者、利用者ともに便宜を得る方法を提供するものである。
【背景技術】
【０００２】  団塊世代の大量定年によって、職場を離れる人が今後激増していく。これらの人達は、我が国の高度成長に貢献し、かつ自身も勤勉であって自己研鑽意欲は強く持っていた。それ故に、自身の向上のための書籍、パソコン等々数多くもっている。【０００３】  さらに子育ては、終わっているから子供達の残したグッズの類も家に山積している。高齢者、団塊の世代の人達が第２の人生を進むにあたり、かっては貴重なものであっても粗大ゴミと化している物品が眠っているのが現実である。【０００４】  法人においても事業の転換、縮小する場合や、事業の拡大に伴ってオフィス、工場の再編によってまだ使用可能な事務用品、器具等が粗大ゴミとなって廃却される例も多い。粗大ゴミは無料では処分できない。自治体、業者にお金を払って引き取ってもらうのが普通である。【０００５】  転勤や、家族構成の変化、新家庭への引越しで不要になった物品は、家電製品や大型家財道具が多い。これらの不要品回収業者は、無料で引き取る場合もあるが、逆にお金を取って格安で入手していた。【０００６】  一方、これから子育てを始めようとする人や、新規事業を起こそうと目論んでいる事業者も多くいる。これらの人達に、不急不要品を提供するシステムが確立すれば、多くの人たち便宜享受できて、経済活動も活発化する。さらに自治体の粗大ゴミ処分に要する経費も削減できるから一挙両得である。【０００７】  本発明は、上記の理由から不要不急品を欲しいという人、法人に迅速に提供するシステムの確立と伴に、場合によってはこれらを提供する人、法人に利用者から僅かな経費をもらって組織の運営経費に使ったり、慈善団体に寄付して社会に還元する方法を提供するものである。
【特許文献１】  特開  ２００４−３３４４５４
【特許文献２】  特開  ２００３−２５６５４４
【発明の開示】
【発明が解決しようとする課題】
【０００８】  解決しようとする問題点の一つは、地球資源の無駄を省く事と自治体がこれらの粗大ゴミを回収して焼却して発生する二酸化炭素を軽減する事である。二酸化炭素放出は、異常気象をもたらし、地球環境に甚大な悪影響をもたらしている。かつ、ゴミの焼却施設の場所も確保できなくなってきた。【０００９】  もう一つは、家庭環境の構成の変化によって不急不要物の処分に困っている人たちが増えたことにある。一方で、新家庭の出現もあってこれらの不急不要ものが資源となって再利用される可能性も多くなっている。【００１０】  現実社会は、これを仲介する組織が確立していない。従って、貴重な資源を眠らせている家庭、法人は枚挙に暇がない。一部のボランティアが途上国向けに、不要になった学用品を集めて送る事業をしているが、一般には浸透していない。【００１１】  不急不要品の回収業者、ボランティアの元締めの中には処分に困って山中に不法投棄する例もある。これは不急不要品の仲介が上手く機能しないために良く起こる現象である。容易な仲介機能を充実させることが急務である。
【課題を解決するための手段】
【００１２】  まず普及の著しい情報通信網を使って、だれでも簡単にアクセスできる掲示板を設ける。例えば、このウェブ上のサイトを例えば、ｗｗｗ．ｏｈａｒａｉ．ｃｏｍ等と称してＰＣ（パソコン）、携帯電話機、固定電話機から、物品の提供者、受益者ともにアクセスできるようにすること。【００１３】  老若、男女を問わず容易にアクセス出来るように、パソコンを操作できなくとも電話機によって、音声で仲介サイトに申し込みできるようにすること。提供者によっては、料金を徴収したい場合もある。料金を提示して利用者を探す事を容易に、より簡単に出来るようにすること。【００１４】  利用者が殺到した場合には、オークションによって落札する。収益は提供者の希望によって、提示した価格を提供者に入金するのと差額はサイト、仲介システム（以下、エージェントという）運営費につかう。希望によって福祉、慈善団体に寄付することもある。
【発明の効果】
【００１５】  家族構成の変化によって生じた不急不要物を、粗大ゴミにしないで社会に還元して有効活用できること。自治体の粗大ゴミ焼却施設の増設を食い止めて、税金を有効に活用できて大気汚染を防止できることと、粗大ゴミ集積場所を無くすことによって、近隣トラブルを未然に防げること。【００１６】  利用者にとっては、多額な金を使わないで目的物を入手できること。新たに事業を起こす人にとっては、余分な経費を使って固定資産、備品を購入する必要がない。固定資産に至っては、すでに償却済みの物品が多いから新たに固定資産税を払う必要がない。【００１７】  物品の提供者、利用者ともにウェブの掲示板にアクセスするだけで目的を達成出来て、パソコンの使えない人は、広告用チラシ、口コミで仲介業を知る事ができる。かつ、希望によっては、料金を徴収して余剰金を仲介サイトの運営と慈善団体、環境保護団体に寄付することができて、まさに現代社会を活性化できるシステムである。
【発明を実施するための最良の形態】
【００１８】  以下に、本発明の実施形態について図面により説明する。【００１９】図１から図５を参照して、本発明の具体的な実施形態について説明する。図１は本発明による全体構成のシステムを示したブロック図である。【００２０】  図１は、１１のエージェントと呼ぶウェブサイトがある。これには掲示板があって、物品の提供者からの物のリストと、物の内容と提供者の希望を簡単に記述してある。ただし、提供者の実名、出所は本人の希望によって伏せられる。【００２１】  １１のサイトの掲示板には、物品の要望リストも挙げられている。これを見て提供者は、物品の供出を行うこともできる。１１はバーチャルサイトだけでなく、図示していないリアルサイトも含まれる。広告、チラシ、自治体からのお知らせ等の手段を含む。【００２２】  １２は１１の制御手段である。ここではサーバシステム、制御コンピュータであって、提供者の物品に対して、利用者が多数いた場合に条件の良いほうの利用者に決定する。あるいは、時間を区切って先着順位をつけて早いほうの利用者に決定する。【００２３】  本例では、物品の提供者は、原則無料であって利益は還元しないが仲介システムの運営とか、提供者の希望に応じて寄付する。この場合は１２が判断して、提供された物品に対して値段をつけて、利用者が多数いる場合には、オークションによって決定する。利益は、仲介サイト１１の運営経費と慈善団体へ寄付される。【００２４】  １３、１４，１５，１６は物品の提供者である。一般家庭、法人、団体である。一般家庭では、愛読していた書籍、絵画、写真、家具、庭の植木、家電製品、家財道具、子弟の学用品、衣類、車、自転車等、諸事万端にわたる。法人、団体においても同様な物品であって、２１の通信手段を介して１１の掲示板に報知される。【００２５】  ２１の通信手段は、情報通信網、インターネット、電話回線の他に、宅配便、郵便を利用する。提供者から利用者１７乃至２０に物品を輸送する際には、宅配、郵便を使用する。又、受領者が所定の場所に出向いて受け取るのも手段の一つである。【００２６】  ２２は、エージェント１１と物品の受領者１７、１８、１９、２０との通信手段である。原則提供者１３乃至１６は、出所を伏せて機密保持を堅持する。提供者の希望によって物品の受領を受領者に直接送付する事も出来る。この場合、規約を設けておいて１１のシステム運営側は、責任を負わないようにすることも必要である。【００２７】  １１の掲示板には、提供リストと受領希望物品のリストが載せられる。１２は両者の調整機構であって、双方の希望に沿って処理する。例えばインターネットであれば、お払いドットコム、ｗｗｗ．ｏｈａｒａｉ．ｃｏｍ（ＵＲＬの事例）でアクセス可能である。又電話による音声でもよく、チラシ、パンフレット等の印刷物、自治体、団体からの公報でも提供と受領ができる。【００２８】  図２は、１１のエージェントの内部構成を示した図である。２６はシステムバスであって、２７は１１のシステム全体を制御するＣＰＵである。２８はプログラムメモリのＲＯＭであって、２９はＲＡＭである。いずれも２７のＣＰＵの動作に必要な素子である。【００２９】  ３０はデータメモリであって、ＣＰＵの動作によって生��たデータや３１の演算部のデータを格納するメモリである。３２は掲示板で、ＰＣ及びインターネット・プロトコルをもった機器からアクセスできる。パネル等の外部表示装置に報知する場合には、３５のＩ／Ｏ装置を介して行われる。【００３０】  ３３は記憶装置であって、ここでは物品の提供リストが記憶される。提供者の氏名、住所等の個人情報の類も記憶されるが、提供者の許可が無い限り外部には公表されない。３４は物品受領者の希望リストである。受領希望者の個人情報も３３と同様に原則は、公表されない。【００３１】  ３５は入出力部であって、外部機器との接続をおこなう。提供者からの情報、受領希望者からの物品受領品目情報はここを介して行う。他に、公共施設に備えてあるパネルに物品リストを表示したり、配送業者の機器との接続はこれを介して行う。【００３２】  図３は提供物品の記憶装置と物品受領のリストを記憶する装置である。３８は、図２の３３の記憶装置１であって、提供者からの物品リスト記憶装置である。３８−１は、全物品リストを記憶する。３８−２は、物品の品質の程度が記憶される。物の写真を記憶して受領希望者に判断してもらう事も可能である。【００３３】  ３８−３は、有料か否かを示すリストである。前述したように本例では、原則無料であるが、エージェントシステムの運用経費、提供者の希望によって慈善団体に寄付をおこなう。このために有料で提供する。３８−４は、無料にて放出する物品リストである。ただし、配送料は受益者負担にする。【００３４】  ３９は図２の３４に相当する。物品の受領希望リストを記憶する。３９−１は、受領希望の品目リストである。３９−２は、無料で物品を受領したい品目リストを示す。３９−３は、有料でも良いから欲しいというリストを記憶して公表する。３９−４は、有料であるがその収益は、寄付行為であってしかるべく慈善団体、困窮者に行く事を示すリストである。【００３５】  図３の記憶装置は、物品の提供者、受領希望者とも図２の３５のＩ／Ｏ部から外部機器に入力する。そして同様に、３５から出力して物品の公表をおこなう事もできる。受領希望品目が複数以上の人達、団体からあった場合には先着順か、又は有料であればオークションを行う。図１に示した制御装置１２によって、ネットオークションが受領希望者間で行われる。決裁は１１にあるエージェントがおこなう。【００３６】  図４は情報通信網４１、インターネットを中心にして本発明の内容を説明したシステム構成図である。４１の情報通信網上には、物品の提供者の窓口になる提供物品サイト４２と受領希望者のサイト４５がある。４４はエージェントであって４２と４５の制御をおこなって４４にある掲示板に公表する。【００３７】  ４７、４８、４９、５０ｎｍは、物品の提供者である。５５は４２のサイトに接続する通信線である。この通信線は、電話であれば音声で４２に入力して又、チラシ、口頭にてエージエントである窓口に申し込む事ができる。【００３８】  ４６は携帯電話会社の専用サイトであって、５８は携帯電話会社の専用線、５９は携帯電話無線基地局である。６２は携帯、ＰＨＳの無線電波である。５７は配送者、郵便、宅配便であって物品提供者から受領者へ運び込む手段を示す。��００３９】  ５１，５２，５３，５４ｎｍは、物品の受領希望者であって、６０，６１は端末機器、携帯電話機、ＰＨＳである。物品の提供者、受領希望者はこれらの端末機器からサイト４４にアクセスして提供リストと物品に関するコメント、写真を送る。希望者は欲しい物品を４４の掲示板から探す事が可能である。【００４０】ｗｗｗ．ｏｈａｒａｉ．ｃｏｍにアクセスすれば、４４のサイトに接続されて物品の提供者、受領希望者とも４４にて調整される。前述したように本システムは、情報通信網を使わなくとも老齢者は、口頭にて電話を使うか、サイト４４のエージェントが用意した所定の用紙に書き込むだけで本情報通信網、インターネットを使用したのと同様の効果が得られる。【００４１】  図５は、物品提供者の手続きを示したフロー図である。Ｓ５０１は、提供者が放出したいと考えて、Ｓ５０２において物品リストを挙げた。電話による口頭か、ボランティアに伝えるか、あるいはインターネットの手段を使う。【００４２】  Ｓ５０３は、エージェントに物品の品目と内容を送る。Ｓ５０４は、エージェントがその品目リストを見て掲示板に掲載可能かどうか判断する。少なくとも、公序良俗に反する物、明らかに再利用出来ない物、個人の人格権を犯す物品は除外する。【００４３】  Ｓ５０４は、エージェントによって受領か否かの判断をする。Ｓ５０５は、物品の受領許諾があって、掲示板に報知する。この際、提供者の意思を反映して全く無償か、寄付行為のために課金するのか、いくらかでも収益を得たいのかを示してエージェントは、その旨を報知する。【００４４】  Ｓ５０６は、物品希望者リストから合致しているものがあって、条件が合えば即決定できる。受領希望者がいなければ、希望者がでるまで掲示板に報知する。この場合一定期間の期限を設けておき、期間が経過しても受領希望者がいなければ提供者に連絡して削除する。【００４５】  Ｓ５０７は、提供者の条件と受領希望者の条件、資格を判断して提供可能かどうか判断する。Ｓ５０８にて判定してＳ５０９において受領希望者に提供する。この場合、配送経費、その他の諸経費の負担は、受益者を原則にするが高齢者、困窮者にはボランティアに委託して代行できる。【００４６】  図６は、不急不要物を必要とする受領希望者の手続きを示すフロー図である。Ｓ６０１は、受領希望者であって、Ｓ６０２で物品の品目リストを閲覧する。掲示板は、ウェブ上の４４のエージェントサイトをインターネットで見たり、電話による問い合わせ、チラシ、自治体、地域団体等の手段による。【００４７】  Ｓ６０３は希望品目を指定する。掲示板にその物品があれば、希望条件を入力する。無償で入手ものかどうかＳ６０４にて条件をだして、Ｓ６０５では諸経費を含めて受領希望者が判断する。無償で条件が合えば、Ｓ６０８に進む。Ｓ６０６は有料であった。Ｓ６０７にて受領者が納得すれば、Ｓ６０８にて物品の受領を申しでる。【００４８】  Ｓ６０９では、提供者は慈善団体への寄付を希望している。これに受領者は同意すれば、Ｓ６１０において寄付金を納める。これらの行為はエージェントが代理人として行う。寄付団体の実名は明かさないで、どんな種類の団体かは知らせる。例えば、交通遺児の育英資金、地��津波の罹災者等を明らかにして賛同を得る。【００４９】  以上説明したように本実施形態では、核家族になって子供達も独立して比較的余裕がある人たちの所有する不急不要品を社会に還元して、循環型社会の形成を目的にする。大量生産、大量消費によって汚染された地球環境と資源の無駄を省く効果がある。【００５０】  循環型社会の形成は、我々人類を幸福にする効果がある。近隣、家族までも疎遠になってしまった社会構造を建て直し、相互の信頼関係を修復する場の提供になる。自治体がやっている粗大ゴミの回収作業は無くなって、税負担の軽減につながる。
【図面の簡単な説明】
【００５１】
【図１】  本発明の構成を示したブロック図である。
【図２】  本発明によるエージェント機能の内部構成を示す図である。
【図３】  エージェントの記憶装置の構造を示す図である。
【図４】  システム構成を示す図である。
【図５】  物品提供者の手続きを示すフロー図である。
【図６】  受領希望者の手続きを示すフロー図である。
【符号の説明】
【００５２】１１                        エージェント・サーバシステム、掲示板
１２                        制御装置
１３、１４、１５、１６      物品提供者
１７、１８、１９，２０      物品受領希望者
２１                        通信手段、チラシ、電話、インターネット
２２                        通信手段、配送手段
２６                        システムバス
２７                        ＣＰＵ、ＭＰＵ
２８                        ＲＯＭ，プログラムメモリ
２９                        ＲＡＭ
３０                        データメモリ
３１                        演算部
３２                        掲示板
３３、３４                  記憶装置
３５                        Ｉ／Ｏ部、入出力装置
３８                        物品提供者による品目リスト記憶部
３９                        物品受領希望者の品目リスト記憶部
４１                        情報通信網、電話網、インターネット
４２                        提供者サイト
４４                        エージェント、掲示板
４５                        受領者サイト
４６                        携帯電話専用サイト
４７、４８、４９、５０ｎｍ  物品提供者
５１，５２，５３、５４ｎｍ  物品受領希望者
５５、５６                  通信手段、郵便、チラシ、伝達媒体
５７                        配送車
５８                        携帯無線専用線
５９                        携帯無線基地局
６０，６１                  携帯電話機、端末機器
６２                        携帯無線電波
【図１】
2008015994.tif 000003
【図２】
2008015994.tif 000004
【図３】
2008015994.tif 000005
【図４】
2008015994.tif 000006
【図５】
2008015994.tif 000007
【図６】
2008015994.tif 000008